(57)【特許請求の範囲】
【請求項１】
引き出しは、テーブル（５）の補強板（５ａ）をそのままに、該引き出しを取り付け、
該引き出しは、取付部（４）と連結棒（２）と補助棒（３）と箱（１）で構成されており、
該取付部（４）は、テーブル（５）の天板（５ｂ）の下側に取り付け、
前記連結棒（２）は、該取付部（４）と箱（１）の間に介在して、
該連結棒（２）は、軸（２ａ）で蝶着してあり、
該軸（２ａ）には、該箱（１）を元の状態に戻す、ねじりコイルバネ（２ｂ）が具備されており、
前記補助棒（３）は、 該箱（１）を平行に保つため、該箱（１）は該補助棒（３）を介して該取付部（４）に取り付け、
前記箱（１）は、物を収納する部分で、
該箱（１）は、該テーブル（５）の下部の補強板（５ａ）を、下に越えてスイングするように引き出すことを特徴とする引き出し。
【発明の詳細な説明】
【技術分野】
【０００１】
本発明は、テーブルの下の補強板をそのままに、引き出しを取り付ける、引き出しに関するものである。
【背景技術】
【０００２】
従来のテーブルは、一般的に食事をするための台で、掃除のとき容易に移動できるように、重量を軽く作っていた。しかし強度は、机などと比べると、強固な物が要求されていた。それは、火傷するほど熱い物が乗るため、危険を排除しなければならなかった。したがって、テーブルの補強は、テーブルの天板に足を取り付け、その足を補強板で囲うのが、一般的であった。
【０００３】
また引き出しを付たものには机があった。その机は、一般的に据え付けるものであり、移動は年に数回であるため、重量を軽くする必要がなかった。また、机の上には本などしか乗せないため、余り強度が必要ではなかった。したがって、引き出しを取り付けるため、補強板に変わる補強が必要であったが、テーブルと比べると、補強の強度はあまり必要ではなかった。
【先行技術文献】
【特許文献】
【０００４】
【特許文献１】特開２００１−７８８３８
【特許文献２】特表２００６−５２２４０２
【発明の概要】
【発明が解決しようとする課題】
【０００５】
従来のテーブルは掃除などのため、毎日移動さすために軽量に作らなければならなかった。また、その割りには強度が要求されていたため、一般的には引き出しが付いてなかった。しかし、物を入れる所がないと、薬などの、食事と一緒に食べたり、飲む物は、テーブルの上に置き、片付かなかった。また、机のように引き出しを取り付けると、強度が落ち、重たくなっていた。
【０００６】
そこで、本発明の引き出しは、テーブル（５）の補強板（５ａ）をそのままに、テーブル（５）の天板（５ｂ）の底面に取付部（４）を取り付け、連結棒（２）を介して箱（１）を蝶着してある。そして、箱（１）を引っ張ると、補強板（５ａ）を越えて箱（１）の中身を取り出すことができる、引き出しを提供するものである。
【課題を解決するための手段】
【０００７】
上記目的を達成するために、本発明の引き出しは、箱（１）に連結棒（２）を、軸（２ａ）を介して回転自在に取付部（４）てあり、該連結棒（２）の反対側は、取付部（４）に軸（２ａ）とねじりコイルバネ（２ｂ）を介して該連結棒（２）に回転自在に取り付けてある。その箱（１）を、平行に保つため、箱（１）の奥の端には、補助棒（３）を軸（２ａ）を介して回転自在に取り付け、補助棒（３）の反対側には、取付部（４）を軸（２ａ）を介して回転自在に取り付けた。このことで、天板（５ｂ）の下部の補強板（５ａ）を、下に越えて引き出すことで目的を達成した。
【発明の効果】
【０００８】
本発明の引き出しは、次のような効果がある。
（イ）普段は、テーブルの補強板に隠れているので邪魔にならない。
（ロ）箱を引っ張るとスイングして、テーブルの外へ出て、物を出し入れすことができる。
（ハ）箱を引っ張るとスイングして、テーブルの外へ出て、補強板に取り付けたフックに引っ掛けることで、その位置を維持する。
（ニ）テーブルの補強板は、そのままなので、強度は変わらない。
（ホ）バネが付いているので、手を放すと引っ込む。
（ヘ）箱に重たい物を中に入れたときは、ゴムを取り付けると良い。
（ト）テーブルには、両方に引き出しを取り付けることができる。
【図面の簡単な説明】
【０００９】
【図１】図は、側面から見た断面図である。
【図２】引き出しだけを図面に書いた、斜視図である。
【図３】図は、テーブルの底を見上げた、蝶着部の上面図である。
【図４】図は、引き出しにゴムを付けた側面図である。
【図５】図は、テーブルを真下から見た上面図である。
【図６】図は、フックを側面から見た断面図である。
【発明を実施するための最良の形態】
【００１０】
本発明の引き出しは、テーブル（５）の補強板（５ａ）を加工することなく、引き出しを取り付けるのが利点である。つまり、テーブル（５）の強度は変わらないから、テーブル（５）を設計した人の意思を守る。そして、そのテーブル（５）に引き出しがあることで、ちょっとした物を片付けることができる。
【００１１】
その引き出しは、箱（１）の中央部分に連結棒（２）を蝶着して、取り付ける。そして、その連結棒（２）の反対の端は、取付部（４）に蝶着してあり、蝶着した軸（２ａ）には、ねじりコイルバネ（２ｂ）を取付部（４）と連結棒（２）の間に挟み、ねじりコイルバネ（２ｂ）は、しまう方に力が加わっている。
【００１２】
そして補助棒（３）は、その箱（１）を平行に保つため、箱（１）の奥の端に、補助棒（３）を介し、取付部（４）に蝶着して取り付けたことで、箱（１）は平行を保ち、スイングをしてテーブル（５）の下部の補強板（５ａ）を、下に越えて引き出す。しかし、中へ乗せる荷物の、重さが重い時は、連結棒（２）と同様に、補助棒（３）と取付部（４）の間に、ねじりコイルバネ（２ｂ）を取り付けると良い。
【００１３】
引き出された引き出しは、鉤状のフック（５ｃ）を、手前の補強板（５ａ）の裏に取り付け、連結棒（２）をフック（５ｃ）に引っ掛けることで、引き出した状態を維持する。したがって、連結棒（２）と補助棒（３）は、左右に動く程度の、余裕が必要である。
【００１４】
さらに、フック（５ｃ）に引っ掛けた引き出しは、凡そ半分が外へ出ており、斜めに奥を見渡せる状態にあるので、引き出した箱（１）の中へ、物をしまうことができる。その奥は、手が届くぎりぎりの位置にあるため、手前の方に良く使用する物を置くと良い。
【００１５】
使用状態から、邪魔にならないように移動するときは、引っ掛けのフック（５ｃ）を外すと、箱（１）はねじりコイルバネ（２ｂ）の力で、箱（１）を引上げると邪魔にならない、テーブル（５）の下に戻る。
【００１６】
さらに、箱（１）の手前にゴム（６）を取り付け、箱（１）の後ろにあたる補強板（５ａ）に、ゴム（６）のもう一方の端を取り付けることで、さらに重たい物を箱（１）の中に入れることができる。
【００１７】
その引き出しの向こう側に、同じく引き出しを取り付けると、両側から引き出しを取り出すことができる。そのとき、真向かいでは引き出し同志が接触するので、正面を避け、筋向かいに取り付けると良い。
【実施例１】
【００１８】
本発明の引き出しを、図面を参照して説明する。
図１は、本発明の引き出しを、側面から見た一部断面図である。テーブル（５）は、横幅８０センチの、全長１２００センチで、図面には横幅８０センチの部分が書かれている。そして、その引き出しは、薬など軽い物をしまうため、最大２キログラムの物を入れるように作った。
【００１９】
したがって、取付部（４）は２０ミリのアルミ製の等辺山形鋼を、４０センチに２本使用した。連結棒（２）と補助棒（３）は、３ミリの厚みの２センチのアルミ製の平鋼を、２０センチに４本切って使用した。箱（１）は、ホームセンターで市販されているプラスチック製の籠で、横幅が３０センチ、縦が５２センチ、高さが１０センチの物を用意した。
【００２０】
その取付部（４）は、２０ミリのアルミ製の等辺山形鋼を、４０センチにねじ釘（４ａ）で止めるための穴を４か所開ける。そして、その穴をねじ釘（４ａ）で止めるが、その前に等辺山形鋼と、天板（５ｂ）との取り付け面に、接着剤などで接着するとよい。それはねじ釘（４ａ）だけでは、長年使用しているうちに振動で緩むことがあるので、接着した。その反対側の、等辺山形鋼の面の、両端から５センチの所に連結棒（２）用の、φ６の穴を開ける。そして、３０センチの間を開けて、補助棒（３）用の穴を開ける。そして、φ６の軸（２ａ）を通して、連結棒（２）と補助棒（３）を繋ぐ。なお軸（２ａ）は、ボルトとナットを使用すると良い。ナットは、余裕をもって取り付けるのがよいため、緩み止めに接着剤を使用した。
【００２１】
また、連結棒（２）と補助棒（３）は同じ物で、３ミリの厚みの２センチのアルミ製の平鋼を、２０センチに４本切り、両端から１センチのところに、φ６の穴を全部で８か所開ける。したがって、連結棒（２）及び補助棒（３）がスイングする半径は、１８センチになる。
【００２２】
箱（１）は、プラスチック製の籠で、縦が５２センチの左から２０センチの所に連結棒（２）用の穴を開け、左から５０センチ部分に、補助棒（３）用のφ６の穴を開け、全部で４か所開けて、連結棒（２）と補助棒（３）を取り付けるために用意した。そして、その箱（１）は取っ手や、つるの持ち手が具備されているものが、望ましい。
【００２３】
図２は、引き出しだけを図面に書いた斜視図であり、その図は引き出しを、引き出した状態で、点線は手を放して、元の状態に戻った所である。その手を放すと、元の状態に戻る理由は、取付部（４）と連結棒（２）の間に、ねじりコイルバネ（２ｂ）が具備されており、その説明は図３によって行う。
【００２４】
その時ねじりコイルバネ（２ｂ）は、図３のテーブルの底を見上げた、蝶着部の上面図のように、連結棒（２）と取付部（４）を軸（２ａ）が介在して、その軸（２ａ）にねじりコイルバネ（２ｂ）が巻き付いて、取付部（４）と連結棒（２）を左回りにねじりコイルバネ（２ｂ）が作用している。しかし、連結棒（２）だけのねじりコイルバネ（２ｂ）では、維持できない程の物を、しまうことが予想できるときは、補助棒（３）にもねじりコイルバネ（２ｂ）を取り付ける。
【実施例２】
【００２５】
使用例に付いて、取付部（４）の軸（２ａ）を、時計の針の中心として、図１で説明すると、その図は箱（１）を引っ張り出して、箱（１）の中に入った物を、出し入れできる状態である。連結棒（２）と補助棒（３）は、７時を刺しており、手を放すとねじりコイルバネ（２ｂ）が作用して、点線の位置に戻るため、左側の補強板（５ａ）の、内側に鉤フック（５ｃ）を取り付け、そのフック（５ｃ）に引っ掛けて、その状態を保つ。
【００２６】
そのフック（５ｃ）は、テーブル（５）の補強板（５ａ）の裏に２個取り付け、両方の連結棒（２）を引っ掛けるため、フック（５ｃ）の先は右を向いてる。したがって、図６のように、左に寄せると引っ掛かり、右に戻すとロックが解除される。そして、図１のように手を放すと、勢いよく点線の状態になるので、ゆっくりと戻し、連結棒（２）と補助棒（３）は点線の、４時の状態になる。その点線は、作動していない状態で、補強板（５ａ）の影に隠れているので、補強板（５ａ）と殆ど同じ高さにあるので、邪魔にならない。
【実施例３】
【００２７】
連結棒（２）と補助棒（３）にねじりコイルバネ（２ｂ）を取り付け、さらにそれでも下に下がる程の、重量を乗せたときは、図４の側面図のように、ゴム（６）を右側の補強板（５ａ）に取り付ける。もう一方を、箱（１）の左端に取り付け、ゴム（６）の引っ張る張力によって、元の位置に戻して、点線で現したようになる。または、物を許容重量以上に、箱（１）の中に入れた時、完全にはしまった状態にはならず、それを補助するためにゴム（６）を取り付けた。ちなみに、ゴム（６）の変わりにコイルバネを用いたが、コイルバネは伸び縮みのおり、箱（１）の角へコイルバネが接触して、音がするため、ゴム（６）の方が良い。
【実施例４】
【００２８】
また、図５のテーブル（５）を下から見上げた上面図のように、１個のテーブル（５）で、２個の引き出しを取り付けることが望ましい。そのとき、中央の取付部（４）は両取付部（４ｂ）に変えた方が、１個所の取り付けでよいため、左右２個の箱（１）の設置が簡単である。その両取付部（４ｂ）は、等辺山形鋼を２個合わせたような形の、溝形鋼の形をしている。その溝形鋼を使用すると、２個の引き出しを１個の部品として、関連性を持たせることができる。
【産業上の利用可能性】
【００２９】
この引き出しは、橋の下に資材をしまうこともできる。橋は、補強が成されており、補強板を改造するのは面倒である。しかし、この方法だと、補強板を下に交わして、橋から外へ出るので、橋の上からクレーンで吊って、重機または資材をしまうことができる。
【符号の説明】
【００３０】
１  箱        ２  連結棒      ２ａ  軸      ２ｂ  ねじりコイルバネ
３  補助棒      ４  取付部      ４ａ  ねじ釘      ４ｂ  両取付部
５  テーブル    ５ａ  補強板    ５ｂ  天板    ５ｃ  フック    ５ｄ  足
６  ゴム
【図１】
0005317225.tif 000002
【図２】
0005317225.tif 000003
【図３】
0005317225.tif 000004
【図４】
0005317225.tif 000005
【図５】
0005317225.tif 000006
【図６】
0005317225.tif 000007